【手続補正書】
【提出日】平成24年8月9日(2012.8.9)
【手続補正１】
【補正対象書類名】特許請求の範囲
【補正対象項目名】全文
【補正方法】変更
【補正の内容】
【特許請求の範囲】
【請求項１】
通信システム内でブロードキャストのファイルをダウンロードする方法であって、
アウトオブバンドの通信セッションにおいて、前記ブロードキャストの少なくとも１つのファイルのコンテンツを処理するために複数のファイル属性を受信することと、
インバンドの通信セッションにおいて、前記複数のファイル属性とは別に、前記ブロードキャストの前記少なくとも１つのファイルを受信することと、
ここにおいて、前記複数のファイル属性は、前記少なくとも１つのファイルよりも先に受信され、また前記処理することは、前記インバンドの通信セッションにおいて前記複数のファイル属性を受信することなく、前記少なくとも１つのファイルを再構築することを
含む、
を備える方法。
【請求項２】
第１通信チャネルを通して前記複数のファイル属性を受信することと、
前記少なくとも１つのファイルを第２通信チャネルを通して受信することと、
を備える、請求項１に記載の方法。
【請求項３】
前記通信システムはインターネットプロトコル（ＩＰ）をサポートし、前記方法はさらに、
前記複数のファイル属性を、第１ポート番号を介して前記ＩＰのユーザデータグラムプロトコル（ＵＤＰ）を通して受信することと、
前記少なくとも１つのファイルを、第２ポート番号を介して前記ＩＰの前記ＵＤＰを通して受信することと、
を備える、請求項１に記載の方法。
【請求項４】
前記インバンドの通信セッション内で、前記ブロードキャストのために複数のファイルを連続的に受信することと、前記インバンドの通信セッションよりも前の前記アウトオブバンドの通信セッション内で前記複数のファイルを処理するために、前記複数のファイル属性を受信することとをさらに備える、請求項１に記載の方法。
【請求項５】
通信システム内でブロードキャストを受信するように構成された装置であって、前記装置は、
アウトオブバンドの通信セッションにおいて、前記ブロードキャストの少なくとも１つのファイルのコンテンツを処理するために複数のファイル属性を受信する手段と、
インバンドの通信セッションにおいて、前記複数のファイル属性とは別に、前記ブロードキャストの前記少なくとも１つのファイルを受信する手段と、
ここにおいて、前記複数のファイル属性は、前記少なくとも１つのファイルよりも先に受信され、また前記処理することは、前記インバンドの通信セッションにおいて前記複数のファイル属性を受信することなく、前記少なくとも１つのファイルを再構築することを
含む、を備える装置。
【請求項６】
第１通信チャネルを通して前記複数のファイル属性を受信する手段と、
第２通信チャネルを通して前記少なくとも１つのファイルを受信する手段と、
をさらに備える、請求項５に記載の装置。
【請求項７】
通信システム内のブロードキャストにおいて使用される装置であって、前記装置は、
プロセッサと、
前記プロセッサに結合したメモリユニットとを備え、前記メモリユニットは、アウトオブバンドの通信セッションにおいて前記ブロードキャストの少なくとも１つのファイルのコンテンツを処理するための複数のファイル属性を受信すること、及びインバンドの通信セッションにおいて、前記複数のファイル属性とは別に前記ブロードキャストの前記少なくとも１つのファイルを受信することのためのコンピュータ読み出し可能な命令を含み、
ここにおいて、前記複数のファイル属性は、前記少なくとも１つのファイルよりも先に受信され、また前記処理することは、前記インバンドの通信セッションにおいて前記複数のファイル属性を受信することなく、前記少なくとも１つのファイルを再構築することを含む、装置。
【請求項８】
前記メモリユニットは、前記第１通信チャネルを通して前記複数のファイル属性を受信するための、及び前記少なくとも１つのファイルを第２通信チャネルを通して受信するためのコンピュータ読み出し可能な命令とをさらに備える、請求項７に記載の装置。
【請求項９】
前記通信システムは、インターネットプロトコル（ＩＰ）をサポートし、前記メモリユニットはさらに、第１ポート番号を介し、前記ＩＰのユーザデータグラムプロトコル（ＵＤＰ）を通して前記複数のファイル属性を受信するための、及び第２ポート番号を介して、前記ＩＰの前記ＵＤＰを通して前記少なくとも１つのファイルを受信するための、コンピュータ読み出し可能な命令とを備える、請求項７に記載の装置。
【請求項１０】
前記メモリユニットはさらに、前記インバンドの通信セッションにおいて前記ブロードキャスト用に複数のファイルを連続的に受信するための、及び前記インバンドの通信セッションよりも前の前記アウトオブバンドの通信セッションにおいて前記複数のファイルを処理するための前記複数のファイル属性を受信するための、コンピュータ読み出し可能な命令とを備える、請求項７に記載の装置。
【請求項１１】
コンピュータ読み出し可能な命令を含んだコンピュータ読み出し可能な媒体であって、
アウトオブバンドの通信セッションにおいてブロードキャストの少なくとも１つのファイルのコンテンツを処理するための複数のファイル属性を受信することと、
インバンドの通信セッションにおいて、前記複数のファイル属性とは別に、前記ブロードキャストの前記少なくとも１つのファイルを受信することとのためのコンピュータ読み出し可能な命令を含むコンピュータ読み出し可能な媒体、
ここにおいて、前記複数のファイル属性は、前記少なくとも１つのファイルよりも先に受信され、また前記処理することは、前記インバンドの通信セッションにおいて前記複数のファイル属性を受信することなく、前記少なくとも１つのファイルを再構築することを
含む。
【請求項１２】
通信システム内でブロードキャストのファイルを送達する装置であって、前記装置は、
アウトオブバンドの通信セッションにおいて、加入者ノードへ前記ブロードキャストの少なくとも１つのファイルのコンテンツを処理するために複数のファイル属性を送信する手段と、
インバンドの通信セッションにおいて、前記加入者ノードへ前記複数のファイル属性とは別に、前記ブロードキャストの前記少なくとも１つのファイルを送信する手段と、
ここにおいて、前記複数のファイル属性は、前記少なくとも１つのファイルよりも先に
送信され、また前記加入者ノードによって前記処理することは、前記インバンドの通信セッションにおいて前記加入者ノードへ前記複数のファイル属性を送信することなく、前記少なくとも１つのファイルを再構築することを含む、を備える装置。
【請求項１３】
第１通信チャネルを通して前記複数のファイル属性を送信する手段と、
第２通信チャネルを通して前記少なくとも１つのファイルを送信する手段と、
をさらに備える、請求項１２に記載の装置。
【請求項１４】
前記通信システムは、インターネットプロトコル（ＩＰ）をサポートし、前記装置は第１のアドレスおよび第１ポート番号を介し、前記ＩＰのユーザデータグラムプロトコル（ＵＤＰ）を通して前記複数のファイル属性を受信する手段と、
第２のアドレスおよび第２ポート番号を介し、前記ＩＰの前記ＵＤＰを通して前記少なくとも１つのファイルを受信する手段と、をさらに備える、請求項１２に記載の装置。
【請求項１５】
前記装置は、第１のアドレスおよび第１ポート番号を介し、前記ＩＰのユーザデータグラムプロトコル（ＵＤＰ）を通して前記複数のファイル属性を受信する手段と、
第２のアドレスおよび第２ポート番号を介し、前記ＩＰの前記ＵＤＰを通して前記少なくとも１つのファイルを受信する手段とをさらに備え、
ここにおいて、前記第１および第２のアドレスは同じであるが、前記第１および第２のポート番号は異なる、
請求項１２に記載の装置。
【請求項１６】
前記インバンドの通信セッション内で、前記ブロードキャストのために複数のファイルを連続的に受信し、前記インバンドの通信セッションよりも前の前記アウトオブバンドの通信セッション内で前記複数のファイルを処理するために、前記複数のファイル属性を受信する手段をさらに備える、請求項１２に記載の装置。
【請求項１７】
前記複数のファイル属性は、永続するファイル属性と短命のファイル属性とを備える、請求項１２に記載の装置。
【請求項１８】
通信システム内のブロードキャストのファイルを送達する方法であって、前記方法は、
アウトオブバンドの通信セッションにおいて、加入者ノードへ前記ブロードキャストの少なくとも１つのファイルのコンテンツを処理するために複数のファイル属性を送信することと、
インバンドの通信セッションにおいて、前記加入者ノードへ前記複数のファイル属性とは別に、前記ブロードキャストの前記少なくとも１つのファイルを送信することと、
ここにおいて、前記複数のファイル属性は、前記少なくとも１つのファイルよりも先に
送信され、また前記加入者ノードによって前記処理することは、前記インバンドの通信セッションにおいて前記加入者ノードへ前記複数のファイル属性を送信することなく、前記少なくとも１つのファイルを再構築することを含む、を備える方法。
【請求項１９】
第１通信チャネルを通して前記複数のファイル属性を送信することと、
前記少なくとも１つのファイルを第２通信チャネルを通して送信することと、
を備える、請求項１８に記載の方法。
【請求項２０】
前記複数のファイル属性は、永続するファイル属性と短命のファイル属性とを備える、請求項１８に記載の方法。
【請求項２１】
通信システム内のブロードキャストにおいて使用される装置であって、前記装置は、
プロセッサと、
前記プロセッサに結合したメモリユニットとを備え、前記メモリユニットは、アウトオブバンドの通信セッションにおいて加入者ノードへ前記ブロードキャストの少なくとも１つのファイルのコンテンツを処理するための複数のファイル属性を送信すること、及びインバンドの通信セッションにおいて、前記加入者ノードへ前記複数のファイル属性とは別に前記ブロードキャストの前記少なくとも１つのファイルを送信することのためのコンピュータ読み出し可能な命令を含み、
ここにおいて、前記複数のファイル属性は、前記少なくとも１つのファイルよりも先に送信され、また前記加入者ノードによって前記処理することは、前記インバンドの通信セッションにおいて前記加入者ノードへ前記複数のファイル属性を送信することなく、前記少なくとも１つのファイルを再構築することを含む、装置。
【請求項２２】
前記メモリユニットは、前記第１通信チャネルを通して前記複数のファイル属性を送信するための、及び前記少なくとも１つのファイルを第２通信チャネルを通して送信するためのコンピュータ読み出し可能な命令とをさらに備える、請求項２１に記載の装置。